(57)【特許請求の範囲】
【請求項１】
一対のビードコアに係留した、トロイド状のカーカスのクラウン部の外周上に、複数層のベルトを具え、該ベルトは、該カーカスの直上に配置されたタイヤ赤道面に対して傾斜して延びるゴム被覆したスチールコードからなる二層の傾斜ベルト層、該傾斜ベルト層のタイヤ径方向外側に配置され、該傾斜ベルト層のタイヤ幅方向距離よりもそのタイヤ幅方向距離が大きく、該傾斜ベルト層を構成するコードよりも前記タイヤ赤道面に対して大きな角度で傾斜して延びるゴム被覆したスチールコードからなる二層の大傾斜ベルト層、及び該大傾斜ベルト層のタイヤ径方向外側に配置され、前記タイヤ赤道面に対して傾斜して延びるゴム被覆したスチールコードからなる二層以上の保護ベルト層を含み、該ベルトは、隣り合う層間でコードが前記タイヤ赤道面を挟んで交差してなる空気入りタイヤにおいて、
前記傾斜ベルト層のコード径は、前記大傾斜ベルト層のコード径の６５〜９５％の範囲内にあり、
前記傾斜ベルト層のトリートの破断強度は、前記大傾斜ベルト層のトリートの破断強度の６０〜１１０％の範囲内にあることを特徴とする空気入りタイヤ。
【請求項２】
前記傾斜ベルト層のトリートの破断強度は、前記大傾斜ベルト層のトリートの破断強度の６０〜９０％の範囲内にあること特徴とする請求項１に記載の空気入りタイヤ。
【請求項３】
前記傾斜ベルト層を構成するコードは、前記タイヤ赤道面に対し、４〜１０°の範囲内で傾斜してなる、請求項１又は２に記載の空気入りタイヤ。
【請求項４】
前記傾斜ベルト層のタイヤ幅方向距離は、タイヤ断面幅の２５〜４５％の範囲内にある、請求項１〜３のいずれか一項に記載の空気入りタイヤ。
【請求項５】
前記大傾斜ベルト層を構成するコードは、前記タイヤ赤道面に対し、１８〜３５°の範囲内で傾斜してなる、請求項１〜４のいずれか一項に記載の空気入りタイヤ。
【請求項６】
前記大傾斜ベルト層のタイヤ幅方向距離は、タイヤ断面幅の５５〜７２％の範囲内にある、請求項１〜５のいずれか一項に記載の空気入りタイヤ。
【発明の詳細な説明】
【技術分野】
【０００１】
この発明は、一対のビードコアに係留した、トロイド状のカーカスのクラウン部の外周上に、複数層のベルトを具え、かかるベルトは、カーカスの直上に配置されたタイヤ赤道面に対して傾斜して延びるゴム被覆したスチールコードからなる二層の傾斜ベルト層、傾斜ベルト層のタイヤ径方向外側に配置され、傾斜ベルト層のタイヤ幅方向距離よりもそのタイヤ幅方向距離が大きく、傾斜ベルト層を構成するコードよりもタイヤ赤道面に対して大きな角度で傾斜して延びるゴム被覆したスチールコードからなる二層の大傾斜ベルト層、及び大傾斜ベルト層のタイヤ径方向外側に配置され、タイヤ赤道面に対して傾斜して延びるゴム被覆したスチールコードからなる二層以上の保護ベルト層を含み、かかるベルトは、隣り合う層間でコードがタイヤ赤道面を挟んで交差してなる空気入りタイヤに関するものであり、かかる空気入りタイヤのベルトの耐久性の向上を図る。
【背景技術】
【０００２】
空気入りタイヤ、特にはトラックやバス、建設車両等の重荷重車両に適用される空気入りタイヤは、相当の重量を支える必要があり、高い負荷荷重を負担するために複数層のベルトを具える。
【０００３】
例えば、特許文献１〜２に記載の空気入りタイヤでは、ベルトは、カーカスの直上に配置されたタイヤ赤道面に対して傾斜して延びるゴム被覆したスチールコードからなる二層の傾斜ベルト層、傾斜ベルト層のタイヤ径方向外側に配置され、傾斜ベルト層のタイヤ幅方向距離よりもタイヤ幅方向距離が大きく、傾斜ベルト層を構成するコードよりもタイヤ赤道面に対して大きな角度で傾斜して延びるゴム被覆したスチールコードからなる二層の大傾斜ベルト層、及び大傾斜ベルト層のタイヤ径方向外側に配置され、タイヤ赤道面に対して傾斜して延びるゴム被覆した高伸長性のスチールコードからなる二層以上の保護ベルト層を含む。傾斜ベルト層は、スチールコードの傾斜角度が小さいことから、タイヤ周方向への張力を負担することができ、タイヤ負荷転動時などにトレッド部の径成長を抑制して、タイヤ形状を維持している。また、大傾斜ベルト層は、傾斜ベルト層よりもタイヤ赤道面に対して傾斜したコードにより構成されている。更に、保護ベルト層は、伸長し易い特性を有するコードを使用していることで、タイヤ負荷転動時に石などの突起物を踏み付けた際に、保護ベルト層が突起物からの入力による変形に追従して変形しつつも、かかる変形に抗する応力を充分に確保することができるので、大傾斜ベルト層の過剰な変形が抑制され、過剰な変形に起因した大傾斜ベルト層のコードの破断・損傷を防止してタイヤの耐久性が向上している。また、一般に、ベルト層を構成するコードのタイヤ赤道面に対する傾斜角度が小さければ小さいほど、そしてベルト層のタイヤ幅方向距離が大きければ大きいほど、タイヤ負荷転動時の剪断歪みが大きくなるので、特に歪みが集中するベルトのタイヤ幅方向端とその近傍にあるゴムとがセパレーションが発生し易くなり、タイヤの耐久性が低下する。また、積層構造となっているベルトは、一部又は全ての隣り合う層間にてコードがタイヤ赤道面を挟んで交差しており、そのことから、石などの突起物を踏み付けた際の入力（以下、カット入力とする）によるベルトの破壊を抑制し、耐カット性が向上している。
【０００４】
【特許文献１】特開２００１−３０１４２０号公報
【特許文献２】特開２００２−３６２１０９号公報
【発明の開示】
【発明が解決しようとする課題】
【０００５】
特許文献１〜２に記載の空気入りタイヤは、複数層のベルト層を配置することで、タイヤの耐久性を向上させているものの、ベルトのタイヤ幅方向端とその近傍にあるゴムとのセパレーションの抑制と、ベルトの耐カット性の向上とを両立させて、タイヤの耐久性を一層向上させることが希求されている。
【０００６】
それゆえ、この発明は、ベルトのタイヤ幅方向端とその近傍にあるゴムとのセパレーションの抑制と、ベルトの耐カット性の向上とを両立させることで、タイヤの耐久性を一層向上させた空気入りタイヤを提供することを目的とする。
【課題を解決するための手段】
【０００７】
前記目的を達成するため、この発明の空気入りタイヤは、一対のビードコアに係留した、トロイド状のカーカスのクラウン部の外周上に、複数層のベルトを具え、かかるベルトは、カーカスの直上に配置されたタイヤ赤道面に対して傾斜して延びるゴム被覆したスチールコードからなる二層の傾斜ベルト層、傾斜ベルト層のタイヤ径方向外側に配置され、傾斜ベルト層のタイヤ幅方向距離よりもそのタイヤ幅方向距離が小さく、傾斜ベルト層を構成するコードよりもタイヤ赤道面に対して大きな角度で傾斜して延びるゴム被覆したスチールコードからなる二層の大傾斜ベルト層、及び大傾斜ベルト層のタイヤ径方向外側に配置され、タイヤ赤道面に対して傾斜して延びるゴム被覆したスチールコードからなる二層以上の保護ベルト層を含み、ベルトは、隣り合う層間でコードがタイヤ赤道面を挟んで交差してなり、かかる傾斜ベルト層のコード径は、大傾斜ベルト層のコード径の６５〜９５％の範囲内にあり、傾斜ベルト層のトリートの破断強度は、大傾斜ベルト層のトリートの破断強度の６０〜１１０％の範囲内にあることを特徴とする。なお、傾斜ベルト層のコード径は、大傾斜ベルト層のコード径の７０〜８５％の範囲内にあることがより好ましい。かかる構成では、傾斜ベルト層のコード径が、大傾斜ベルト層のコード径の６５％以上の大きさであり、従来の傾斜ベルト層のコード径よりも大きくなることから、傾斜ベルト層の剛性を有効に確保して、石等により路面からの入力があっても、コードの破断・損傷が抑制され、傾斜ベルト層の耐久性を向上させることができる。また、傾斜ベルト層のコード径が、大傾斜ベルト層のコード径の９５％以下であることから、傾斜ベルト層のコード径が大きくなり過ぎないので、コード径が大きくなり過ぎることによる傾斜ベルト層のタイヤ幅方向端とその近傍にあるゴムとのセパレーションを抑制することができる。これらのことから、ベルトのタイヤ幅方向端とその近傍にあるゴムとのセパレーションの抑制と、ベルトの耐久性の向上とを両立させて、タイヤの耐久性を一層向上することが可能となる。なお、ここでいう「傾斜ベルト層のタイヤ幅方向距離」とは、傾斜ベルト層の両タイヤ幅方向端間をタイヤ幅方向に沿って計測した距離をいうものとし、「大傾斜ベルト層のタイヤ幅方向距離」とは、大傾斜ベルト層の両タイヤ幅方向端間をタイヤ幅方向に沿って計測した距離をいうものとする。また、傾斜ベルト層のトリートの破断強度は、大傾斜ベルト層のトリートの破断強度の６０〜１１０％の範囲内にある。ここでいう「破断強度」とは、トリート面内コードの延在方向に対し垂直方向にて５０ｍｍの範囲内にあるコードの打ち込み本数（打ち込み密度）に、加硫成型後に、一本のコードをコードの軸線方向に引っ張って破断させる際に必要な張力（引張強度）を乗じた数値で表されるものをいう。
【０００８】
また、傾斜ベルト層のトリートの破断強度は、大傾斜ベルト層のトリートの破断強度の６０〜９０％の範囲内とすることが好ましい。
【０００９】
更に、傾斜ベルト層を構成するコードは、タイヤ赤道面に対し、４〜１０°の範囲内で傾斜してなることが好ましく、より好ましくは４〜７°の範囲内で傾斜してなる。
【００１０】
更にまた、傾斜ベルト層のタイヤ幅方向距離は、タイヤ断面幅の２５〜４５％の範囲内にあることが好ましく、より好ましくは３０〜４０％の範囲内である。
【００１１】
加えて、大傾斜ベルト層を構成するコードは、タイヤ赤道面に対し、１８〜３５°の範囲内で傾斜してなることが好ましい。
【００１２】
加えてまた、大傾斜ベルト層のタイヤ幅方向距離は、タイヤ断面幅の５５〜７２％の範囲内にあることが好ましく、より好ましくは６０〜７２％の範囲内である。
【発明の効果】
【００１３】
この発明によれば、ベルトのタイヤ幅方向端とその近傍にあるゴムとのセパレーションの抑制と、ベルトの耐カット性の向上とを両立させることで、タイヤの耐久性を一層向上させた空気入りタイヤの提供が可能となる。
【発明を実施するための最良の形態】
【００１４】
以下、図面を参照しつつ、この発明の実施の形態を説明する。図１は、この発明に従う代表的な空気入りタイヤ（以下「タイヤ」という。）の一部破断斜視図であり、図２は、図１に示すタイヤのトレッド半部の部分断面図である。図３は、この発明に従うその他の空気入りタイヤのトレッド半部の部分断面図である。
【００１５】
図１及び２に示すタイヤ１は、ビードコア２を埋設した一対のビード部３、かかるビード部３からタイヤ径方向外側に延びる一対のサイドウォール部４、及び両サイドウォール部４、４間にまたがって延びるトレッド部５を有する。また、このタイヤ１は、ビードコア２に係留したトロイド状のスチールカーカス６、かかるスチールカーカス６のクラウン部のタイヤ径方向外側に配置されたベルト７を具える。
【００１６】
この発明のタイヤは、複数層からなるベルト７を具え、かかるベルト７は、タイヤ径方向外側から順に、二層の保護ベルト層８、二層の大傾斜ベルト層９及び二層の傾斜ベルト層１０を積層配置して構成されている。保護ベルト層８は、タイヤ赤道面ＣＬに対して傾斜して延びるゴム被覆した高伸長スチールコードからなる。高伸長スチールコードとは、高い伸び性を有し、破断までの伸びが全伸度の５〜８％以上のスチールコードをいう。大傾斜ベルト層９は、保護ベルト層８のタイヤ径方向内側に配置され、タイヤ赤道面ＣＬに対して傾斜して延びるゴム被覆した高張力スチールコードからなる。高張力スチールコードとは、例えば、機械的強度である引張り強さが１２００Ｎ／ｍｍ２のスチールコードをいう。傾斜ベルト層１０は、大傾斜ベルト層９のタイヤ径方向内側に配置され、そのタイヤ幅方向距離Ｗ１が大傾斜ベルト層９のタイヤ幅方向距離Ｗ２よりも小さく、傾斜ベルト層１０を構成するコードよりもタイヤ赤道面ＣＬに対して小さな角度で傾斜して延びるゴム被覆した高張力スチールコードからなる。上述したように、保護ベルト層８は、突起等を踏み付けた際の路面からの入力による大傾斜ベルト層９の過剰な変形を抑制して、変形に起因した大傾斜ベルト層９のコードの破断・損傷を防止し、タイヤ１の耐久性を向上させる。また、大傾斜ベルト層９は、タイヤ負荷転動時に石などの突起物を踏み付けた際の路面からの入力に抗することから、かかる入力によるタイヤ１の破壊を抑制し、タイヤ１の耐久性を向上させる。更に、保護ベルト層８は、高伸長スチールコードを使用することにより、タイヤ負荷転動時に石など突起物を踏んだ際の大傾斜ベルト層９の変形を抑制し、大傾斜ベルト８の破断・損傷を防止して、ベルト７の耐久性を向上させる。更にまた、傾斜ベルト層１０のタイヤ幅方向距離Ｗ１を、大傾斜ベルト層９のタイヤ幅方向距離Ｗ２よりも小さくして、タイヤ負荷転動時に発生する剪断歪みを小さくすることで、傾斜ベルト層１０のタイヤ幅方向端１１とその近傍にあるゴムとのセパレーションを抑制して、タイヤ１の耐久性を向上させる。また、積層構造となっているベルト７は、隣り合う層間にてコードがタイヤ赤道面ＣＬを挟んで交差しており、そのことから、石などの突起物を踏み付けた際の種々の方向からの入力によるタイヤ１の破壊を抑制して、タイヤ１の耐久性が向上する。なお、保護ベルト層８の層数は、所望される性能に応じて、更に増やすことができ、例えば、図３に示すように、三層とすることができる。
【００１７】
また、この発明のタイヤ１において、傾斜ベルト層１０のコード径は、大傾斜ベルト層９のコード径の６５〜９５％の範囲内にある。傾斜ベルト層１０のコード径は、大傾斜ベルト層９のコード径の７０〜９０％の範囲内にあることがより好ましい。なぜなら、傾斜ベルト層１０のコード径が、大傾斜ベルト層９のコード径の６５％未満の大きさとなる場合には、傾斜ベルト層１０の剛性が不足して、石等により路面からの入力により、コードが破断・損傷し易くなり、傾斜ベルト層１０の耐久性が低下するからである。一方、傾斜ベルト層１０のコード径が、大傾斜ベルト層９のコード径の９５％を超える場合には、傾斜ベルト層１０のコード径が大きくなり過ぎて、傾斜ベルト層１０のタイヤ幅方向端１１とその近傍にあるゴムとのセパレーションが発生し易くなるからである。これらのことから、傾斜ベルト層１０のコード径を、大傾斜ベルト層９のコード径の６５〜９５％の範囲内に設定することにより、傾斜ベルト層１０のタイヤ幅方向端１１とその近傍にあるゴムとのセパレーションの抑制と、傾斜ベルト層１０の耐久性の向上とを両立させて、タイヤ１の耐久性を一層向上させることが可能となる。
【００１８】
また、傾斜ベルト層１０のトリートの破断強度は、大傾斜ベルト層９のトリートの破断強度の６０〜１１０％の範囲内にあることが好ましく、より好ましくは６０〜９０％の範囲内である。なぜなら、傾斜ベルト層１０のトリートの破断強度が大傾斜ベルト層９のトリートの破断強度の６０％未満の場合には、タイヤ負荷転動時に石等の突起物を踏み付けた際に、突起物からの入力により大傾斜ベルト層９のコードが破断・損傷しなくとも、傾斜ベルト層１０のトリートの破断強度が不足することから、傾斜ベルト層１０のコードが破断・損傷する可能性があるからである。一方、傾斜ベルト層１０のトリートの破断強度が大傾斜ベルト層９のトリートの破断強度の１１０％を超える場合には、傾斜ベルト層１０のトリートの破断強度が大きくなり過ぎることから、タイヤ負荷転動時の突起物からの入力による傾斜ベルト層１０のコードの破断・損傷は有効に抑制することができるが、傾斜ベルト層１０が剪断変形する際に傾斜ベルト層１０のタイヤ幅方向端１１に応力が過剰に集中するので、傾斜ベルト層１０のタイヤ幅方向端１１とその近傍にあるゴムとのセパレーションが発生して、タイヤの耐久性が低下する可能性があるからである。
【００１９】
更に、傾斜ベルト層１０を構成するコードは、タイヤ赤道面ＣＬに対し、４〜１０°の範囲内で傾斜してなることが好ましく、より好ましくは４〜７°の範囲内で傾斜してなる。なぜなら、傾斜ベルト層１０を構成するコードが、タイヤ赤道面ＣＬに対して４°未満で傾斜している場合には、コードのタイヤ赤道面ＣＬに対する傾斜角度が小さくなり過ぎることから、傾斜ベルト層はタイヤ周方向への張力を充分に負担し、トレッド部５の径成長を抑制して、タイヤ形状を維持することはできるが、タイヤ負荷転動時の剪断歪みが大きくなり過ぎて、傾斜ベルト層１０のタイヤ幅方向端１１に応力が過剰に集中するので、傾斜ベルト層１０のタイヤ幅方向端１１とその近傍にあるゴムとのセパレーションが発生して、タイヤ１の耐久性が低下する可能性があるからである。一方、傾斜ベルト層１０を構成するコードが、タイヤ赤道面ＣＬに対して１０°を超えて傾斜している場合には、コードのタイヤ赤道面ＣＬに対する傾斜角度が大きくなり過ぎることから、傾斜ベルト層１０は、タイヤ周方向への張力を充分に負担することができずに、トレッド部５が過剰に径成長して、タイヤ形状を維持することができない可能性があるからである。
【００２０】
更にまた、傾斜ベルト層１０のタイヤ幅方向距離Ｗ１は、タイヤ断面幅Ｗ３の２５〜４５％の範囲内にあることが好ましく、より好ましくは３０〜４０％の範囲内にある。なぜなら、傾斜ベルト層１０のタイヤ幅方向距離Ｗ１が、タイヤ断面幅Ｗ３の２５％未満の場合には、傾斜ベルト層１０が配設されている領域が小さくなり過ぎて、タイヤ周方向への張力を負担できる範囲が限定され過ぎることから、トレッド部５の径成長を抑制することができないトレッド部領域が大きくなり過ぎて、タイヤ形状を維持することができない可能性があるからである。一方、傾斜ベルト層１０のタイヤ幅方向距離Ｗ１が、タイヤ断面幅Ｗ３の４５％を超える場合には、タイヤ負荷転動時の傾斜ベルト層１０の剪断歪みが大きくなり過ぎて、傾斜ベルト層１０のタイヤ幅方向端１１に応力が過剰に集中するので、傾斜ベルト層１０のタイヤ幅方向端１１とその近傍のゴムとの剥離が発生して、タイヤの耐久性が低下する可能性があるからである。
【００２１】
加えて、大傾斜ベルト層９を構成するコードは、タイヤ赤道面ＣＬに対し、１８〜３５°の範囲内で傾斜してなることが好ましい。なぜなら、大傾斜ベルト層９を構成するコードが、タイヤ赤道面ＣＬに対して１８°未満で傾斜している場合には、コードのタイヤ赤道面ＣＬに対する傾斜角度が小さくなり過ぎることから、タイヤ負荷転動時の応力負担が傾斜ベルト層１０に移り、傾斜ベルト層１０のタイヤ幅方向端１１に応力が過剰に集中することにより、その近傍にあるゴムとの剥離が発生し、タイヤ１の耐久性が低下する可能性があるからである。一方、大傾斜ベルト層を構成するコードは、タイヤ赤道面ＣＬに対し、３５°を超えて傾斜している場合には、タイヤ負荷転動時の応力負担が傾斜ベルト層１０に移り、傾斜ベルト層１０のタイヤ幅方向端１１に応力が過剰に集中することにより、その近傍にあるゴムとの剥離が発生し、タイヤ１の耐久性が低下する可能性があるからである。
【００２２】
加えてまた、大傾斜ベルト層９のタイヤ幅方向距離Ｗ２は、タイヤ断面幅Ｗ３の５５〜７２％の範囲内にあることが好ましく、より好ましくは６０〜７２％の範囲内である。なぜなら、大傾斜ベルト層９のタイヤ幅方向距離Ｗ２が、タイヤ断面幅Ｗ３の５５％未満の場合には、大傾斜ベルト層９の配設範囲が小さくなり過ぎることから、タイヤ負荷転動時の応力負担が傾斜ベルト層１０に移り、傾斜ベルト層１０のタイヤ幅方向端１１に応力が過剰に集中することにより、その近傍にあるゴムとの剥離が発生し、タイヤ１の耐久性が低下する可能性があるからである。一方、大傾斜ベルト層９のタイヤ幅方向距離Ｗ２が、タイヤ断面幅Ｗ３の７２％を超える場合には、タイヤ負荷転動時に石などの突起物を踏み付けた際の突起物からの入力に対し有効に抗することができるが、大傾斜ベルト層９の剪断歪みが大きくなり過ぎて、その近傍にあるゴムとの剥離が発生して、タイヤ１の耐久性が低下する可能性があるからである。
【００２３】
なお、上述したところはこの発明の実施形態の一部を示したに過ぎず、この発明の趣旨を逸脱しない限り、これらの構成を交互に組み合わせたり、種々の変更を加えたりすることができる。例えば、図示の例では、各種ベルト層を構成しているコードは直線状に延びるコードを使用しているが、それらを波状やジグザグ状に延びるコードとすることができる。
【実施例】
【００２４】
次に、従来のベルトを具えるタイヤ（従来例タイヤ１〜２）及びこの発明に従うベルトを具えるタイヤ（実施例タイヤ１〜６）を、タイヤサイズ５３／８０Ｒ６３の重荷重用タイヤとして、夫々試作し、性能評価を行ったので、以下に説明する。
【００２５】
実施例タイヤ１〜６は、二層の傾斜ベルト層、傾斜ベルト層のタイヤ幅方向距離よりもそのタイヤ幅方向距離が大きい二層の大傾斜ベルト層、及び二層の保護ベルト層からなるベルトを具え、かかるベルトは、隣り合う層間でコードがタイヤ赤道面を挟んで交差している。また、傾斜ベルト層のコード径は、大傾斜ベルト層のコード径の６５〜９５％の範囲内にある。従来例タイヤ１〜２は、傾斜ベルト層のコード径が、大傾斜ベルト層のコード径の６５〜９５％の範囲内に無いこと以外は、実施例タイヤと基本的に同一の構成を具える。これらタイヤの諸元を表１に示す。なお、コード径、コードの引張強度（Ａ）、コードの打ち込み密度（Ｂ）、及び（Ａ）と（Ｂ）との積から求められるトリートの破断強度は、大傾斜ベルト層におけるそれらを指数化し夫々を１００に換算し、傾斜ベルト層におけるそれらと比較した相対値にて夫々示している。
【００２６】
【表１】
0005275656.tif 000002
【００２７】
これら各供試タイヤをサイズ３６．００×５．０のリムに取付けてタイヤ車輪とし、タイヤの耐久性に関する以下の各種評価に供した。
【００２８】
平坦な路面における直進走行時の傾斜ベルト層の耐久性は、空気圧：９００ｋＰａ（相対圧）を適用したそれらタイヤ車輪を、ドラム径が７ｍのドラム試験機上に配置して、Ｔｈｅ  Ｔｉｒｅ  Ａｎｄ  Ｒｉｍ  Ａｓｓｏｃｉａｔｉｏｎ，  Ｉｎｃ．（ＴＲＡ）の“Ｙｅａｒ  Ｂｏｏｋ”に基づく１５０％荷重：１２２３．８ｋＮを負荷した条件下で、走行速度：８ｋｍ／ｈに対応する回転速度でタイヤ車輪を回転させて、撮影機器により傾斜ベルト層とその近傍にあるゴムとのセパレーションに起因したトレッド部形状の変化が発生するかどうかを２４０時間にわたり調べることで評価した。なお、２４０時間経過時にトレッド部形状に変化が発生していない場合を１００として指数化し、その他のタイヤにて２４０時間未満で変化する場合の変化までの時間を相対値として算出して評価した。なお、１００を上限として数値が大きいほど耐久性に優れることを表し、数値が８５以上（２０４時間以上に相当する）のタイヤは、平坦な路面における耐久性を充分に向上させており、市場性があると判定した。かかる数値は９０以上であることが更に好ましい。その結果は表２に示す。
【００２９】
凹凸のある路面における直進走行時の傾斜ベルト層の耐久性（耐カット性）は、空気圧：９００ｋＰａ（相対圧）を適用したそれらタイヤ車輪を、ドラム上に半径２０ｃｍの半円状突起部を一箇所有し、ドラム径が７ｍのドラム試験機上にタイヤの路面接地域全体が当接するよう配置して、ＴＲＡの“ＹＥＡＲ  ＢＯＯＫ”に基づく１００％荷重：８１５．９ｋＮを負荷した条件下で、走行速度：８ｋｍ／ｈに対応する回転速度でタイヤ車輪を回転させて、撮影機器により傾斜ベルト層の破断（カット）に起因したトレッド部形状の変化が発生するかどうかを２４０時間にわたり調べることで評価した。なお、２４０時間経過時にトレッド部形状に変化が発生していない場合を１００として指数化し、その他のタイヤにて２４０時間未満で変化する場合の変化までの時間を相対値として算出して評価した。なお、１００を上限として数値が大きいほど耐久性に優れることを表し、数値が８５以上（２０４時間以上に相当する）のタイヤは、凹凸のある路面における直進走行時の耐久性を充分に向上させており、市場性があると判定した。かかる数値は９０以上であることが更に好ましい。その結果は表２に示す。
【００３０】
【表２】
0005275656.tif 000003
【００３１】
表２の結果から明らかなように、従来例タイヤ１〜２は、平坦な路面における傾斜ベルト層の耐久性と凹凸のある路面における傾斜ベルト層の耐久性のいずれか一方のみが向上しているのに対し、実施例タイヤ１〜６は、平坦な路面における傾斜ベルト層の耐久性と凹凸のある路面における傾斜ベルト層の耐久性がともに有効に向上しており、タイヤの耐久性が向上していた。特に、実施例タイヤ３〜５において両耐久性が向上していた。
【産業上の利用可能性】
【００３２】
以上のことから明らかなように、ベルトのタイヤ幅方向端とその近傍にあるゴムとのセパレーションの抑制と、ベルトの耐カット性の向上とを両立させることで、タイヤの耐久性を一層向上させた空気入りタイヤを提供することが可能となった。
【図面の簡単な説明】
【００３３】
【図１】この発明に従う代表的なタイヤの一部破断斜視図である。
【図２】図１に示すタイヤのトレッド半部の一部を示す断面図である。
【図３】この発明に従うその他のタイヤのトレッド半部の一部を示す断面図である。
【符号の説明】
【００３４】
１  タイヤ
２  ビードコア
３  ビード部
４  サイドウォール部
５  トレッド部
６  スチールカーカス
７  ベルト
８  保護ベルト層
９  大傾斜ベルト層
１０  傾斜ベルト層
１１  傾斜ベルト層のタイヤ幅方向端
ＣＬ  タイヤ赤道面
Ｗ１  傾斜ベルト層のタイヤ幅方向距離
Ｗ２  大傾斜ベルト層のタイヤ幅方向距離
Ｗ３  タイヤ断面幅
【図１】
0005275656.tif 000004
【図２】
0005275656.tif 000005
【図３】
0005275656.tif 000006